(57)【要約】【課題】掃除口への蓋体の螺合をしっかりと行った状態で螺合状態を固定することができる排水管路用掃除口を提供する。【解決手段】排水管路の掃除口接続筒に内嵌して内面に雌ねじが形成された受枠が取付けられ、この受枠には雄ねじを有する蓋体が螺合され、受枠の上面とこの受枠上面に当接する蓋体の下面とに、螺合終端位置で嵌合する凹凸が形成されていることを特徴とする排水管路用掃除口。【選択図】  図１
2005076265.tif 000002
【特許請求の範囲】
【請求項１】
排水管路の掃除口接続筒に内嵌して内面に雌ねじが形成された受枠が取付けられ、この受枠には雄ねじを有する蓋体が螺合され、受枠の上面とこの受枠上面に当接する蓋体の下面とに、螺合終端位置で嵌合する凹凸が形成されていることを特徴とする排水管路用掃除口。
【請求項２】
受枠の上面とこの受枠上面に当接する蓋体の下面との間に環状シールパッキングが設けられている請求項１記載の排水管路用掃除口。
【請求項３】
受枠に形成された雌ねじと蓋体に設けられた雄ねじとが多条ねじとなされている請求項１または請求項２記載の排水管路用掃除口。
【請求項４】
横引き排水管路の上部に掃除口が開口され、この掃除口と同芯状に掃除口より大きな内径を有する接続筒が形成され、この接続筒に内嵌して受枠が取付けられ、蓋体内部には掃除口に嵌入可能な外径を有する排水管路面形成部材が回動可能に装着され、掃除口内周面と排水管路面形成部材の外周面の相対面する位置には、凹凸嵌合する少なくとも一対の凹部と凸部とからなる位置合わせ手段が形成されている請求項１〜３のいずれか記載の排水管路用掃除口。
【請求項５】
蓋体の外面には周方向に間隔をおいて円弧状の把持部が形成されている請求項１〜４のいずれか記載の排水管路用掃除口。
【発明の詳細な説明】
【技術分野】
【０００１】
本発明は、戸建て住宅のトイレ、浴室、台所等の排水を宅地床下内で合流させて公共下水道に排水するための排水用ヘッダー等の排水管路用の掃除口または住宅内や高層ビル内の排水横枝管の端部に設けられる排水管路用の掃除口に関する。
【背景技術】
【０００２】
高層ビル内の排水横枝管の端部に設けられる排水管路用の掃除口としては、排水横枝管の端部や合流部の上部短筒に、蓋体を設けておき、管路の清掃時には、蓋体を取外して排水横枝管の端部や短筒から掃除具を挿入して管路を清掃することが行われている。蓋体としては、排水横枝管の端部や短筒に設けられているフランジにパッキングを介して盲フランジをボルトナットで取付けていることが多い。
しかしながら、ビル内の排水横枝管は狭小な床下のピット内に設置されていることが多く、ボルトナットによる結合を解いて盲フランジを取外すのは面倒な作業となるという欠陥があった。
【０００３】
そこで、屋内または床下で排水を合流させて公共下水道に排水するための枝管流入口を有する排水桝において、掃除口に嵌脱自在に嵌着される開閉蓋を具備したものが提案されている（例えば、特許文献１参照。）。
特許文献１に記載の排水桝においては、掃除口２１に雌ねじ部２４が設けられ、開閉蓋３１には雄ねじ部４３が設けられていて、螺合により掃除口２１に開閉蓋３１が嵌脱自在に嵌着されるようになっている（図６、図７）。
【０００４】
また、蓋本体３２の下側面には、開閉蓋３１の裏面部である曲面部３６が形成されている。この曲面部３６は、開閉蓋３１を掃除口２１に嵌着した状態で、頂部１４、および流入口４と流出口５の内周面における枝管流入口３と反対側の側部と滑らかに連続している。開閉蓋３１の桝本体２（掃除口２１）に対する位置合わせをするため、掃除口２１の上端には、第１の位置合わせ手段としての目印２５が刻設され、開閉蓋３１の上面部であるフランジ部３３の上面部３４には、第２の位置合わせ手段としての目印３５が刻設され、この目印３５を目印２５と位置合わせすることにより開閉蓋３１の桝本体２（掃除口２１）に対する位置合わせをする、ようになされている（段落番号１９、２０）。
【０００５】
そして、開閉蓋３１には４つの円柱形状の突起４１が突設されており、排水桝１の内部を掃除する際には、突起４１の間にドライバなどを通し、ドライバなどを開閉蓋３１の周方向に沿って回転させることにより雄ねじ部４３と雌ねじ部２４との螺合を弛めて開閉蓋３１を掃除口２１から取り外すようになっている（段落番号３１）。
【０００６】
【特許文献１】特開２００３−１３８６３９号公報（段落番号１６〜３２、図１、３、６、７、８      参照）。
【発明の開示】
【発明が解決しようとする課題】
【０００７】
特許文献１に記載の排水桝においては、掃除口２１の雌ねじ部２４に開閉蓋３１の雄ねじ部４３を螺合して掃除口２１に開閉蓋３１を取り付けるようになっているだけなので、振動などで螺合が弛むことがある。開閉蓋３１が弛むと臭気や排水が外に漏れることになる。また、内面を滑らかに連続した面とするためには、開閉蓋３１は所定の方向に位置合わせして取り付けることが必要である。位置合わせのためには、掃除口２１の上端に刻設された第１の位置合わせ手段としての目印２５に、開閉蓋３１の上面部であるフランジ部３３の上面部３４に刻設された第２の位置合わせ手段としての目印３５を位置合わせしているが、刻設された目印を目視して位置合わせしなければならないため、狭い場所や暗い場所では目視することが困難で、正確な位置合わせができないことが起こり得る、という問題点がある。
【０００８】
また、蓋本体３２の下側面には、曲面部３６が開閉蓋３１と一体的に形成されているので、曲面部３６の位置合わせを行う位置で、開閉蓋３１の掃除口２１への螺合を止めなければならないことになる。掃除口２１の雌ねじ部２４と開閉蓋３１の雄ねじ部４３とは、位置合わせを行う位置でしっかりと螺合されるように作られていても、繰り返し螺合されたり、経時的にねじ部が変形すると螺合が弛くなることがあり、開閉蓋３１をきつく螺合することができないという問題がある。
【０００９】
本発明は、掃除口への蓋体の螺合をしっかりと行うことができると共に、しっかり螺合した状態で螺合状態を固定することができる排水管路用掃除口を提供することを目的とする。  
【課題を解決するための手段】
【００１０】
請求項１記載の本発明の排水管路用掃除口は、排水管路の掃除口接続筒に内嵌して内面に雌ねじが形成された受枠が取付けられ、この受枠には雄ねじを有する蓋体が螺合され、受枠の上面とこの受枠上面に当接する蓋体の下面とに、螺合終端位置で嵌合する凹凸が形成されていることを特徴とする。
【００１１】
また、請求項２記載の本発明の排水管路用掃除口は、請求項１記載の排水管路用掃除口において、受枠の上面とこの受枠上面に当接する蓋体の下面との間に環状シールパッキングが設けられているものである。
【００１２】
また、請求項３記載の本発明の排水管路用掃除口は、請求項１または請求項２記載の排水管路用掃除口において、受枠に形成された雌ねじと蓋体に設けられた雄ねじとが多条ねじとなされているものである。
【００１３】
また、請求項４記載の本発明の排水管路用掃除口は、請求項１〜３のいずれかに記載の排水管路用掃除口において、横引き排水管路の上部に掃除口が開口され、この掃除口と同芯状に掃除口より大きな内径を有する接続筒が形成され、この接続筒に内嵌して受枠が取付けられ、蓋体内部には掃除口に嵌入可能な外径を有する排水管路面形成部材が回動可能に装着され、掃除口内周面と排水管路面形成部材の外周面の相対面する位置には、凹凸嵌合する少なくとも一対の凹部と凸部とからなる位置合わせ手段が形成されているものである。
【００１４】
また、請求項５記載の本発明の排水管路用掃除口は、請求項１〜４のいずれかに記載の排水管路用掃除口において、蓋体の外面には周方向に間隔をおいて円弧状の把持部が形成されているものである。
【発明の効果】
【００１５】
請求項１記載の排水管路用掃除口においては、受枠に蓋体が螺合され、受枠の上面とこの受枠上面に当接する蓋体の下面とに、螺合終端位置で嵌合する凹凸が形成されているので、しっかりと螺合される状態に至る直前では凸部が変形して螺合し、螺合終端位置では変形した凸部が凹部に嵌合して突部が復元して凹凸嵌合する。
従って、蓋体は受枠にしっかりと螺合され、しかも蓋体は受枠に凹凸嵌合して固定されるので、振動があっても蓋体が弛むことはない。
また、蓋体を受枠に螺合して行くとき、凸部の変形に伴って螺合する力が急に大きくなり、その後凹凸嵌合して止まるので、螺合する手の感覚だけで螺合の終端を判断することができ、狭い場所や暗い場所で目視することが困難な場所でも、過度の螺合や螺合不足を生じることがない。
【００１６】
また、請求項２記載の排水管路用掃除口においては、受枠の上面とこの受枠上面に当接する蓋体の下面との間に環状シールパッキングが設けられているので、受枠と蓋体とがしっかりと螺合されて弛むことがないことと相俟って、排水管路内の臭気や排水が漏れることがない。
【００１７】
また、請求項３記載の排水管路用掃除口においては、受枠に形成された雌ねじと蓋体に設けられた雄ねじとが多条ねじとなされているので、蓋体の回転数を少なくして螺合することができると共に、受枠との凹凸嵌合時の凸部の変形を瞬間的な変形にとどめることができ、蓋体の受枠への螺合が行い易くなる。
【００１８】
また、請求項４記載の排水管路用掃除口においては、掃除口が横引き排水管路の上部に開口され、この掃除口と同芯状に掃除口より大きな内径を有する接続筒が形成され、この接続筒に内嵌して受枠が取付けられ、蓋体内部には掃除口に嵌入可能な外径を有する排水管路面形成部材が回動可能に装着され、掃除口内周面と排水管路面形成部材の外周面の相対面する位置には、凹凸嵌合する少なくとも一対の凹部と凸部とからなる位置合わせ手段が形成されているので、蓋体に装着された排水管路面形成部材を掃除口に、それぞれに設けられた凹凸が嵌合するように挿入する。その後、蓋体を受枠に螺合すれば、排水管路面形成部材を掃除口内に所定の方向を向けて装着でき、蓋体を受枠に螺合しても排水管路面形成部材の装着の向きを一定方向に保持することができ、しっかりと螺合した上で掃除口内面を連続した平滑な面とすることができる。
【００１９】
また、請求項５記載の排水管路用掃除口においては、蓋体の外面に周方向に間隔をおいて円弧状の把持部が形成されているので、把持部を掴んで螺合できると共に、円弧状の把持部の間隔にドライバーなどを挟んで強い力で螺合することもできる。
【発明を実施するための最良の形態】
【００２０】
図１は本発明の排水管路用掃除口を排水用ヘッダーとしての管継手に適用した実施形態を示す縦断面図、図２は図１における受枠の詳細を示し、（Ａ）は平面図、（Ｂ）は図（Ａ）のＢ−Ｂ線における断面図、（Ｃ）は図（Ａ）における側面図、図３は図１における蓋体の詳細を示し、（Ａ）は平面図、（Ｂ）は一部を断面で示す正面図、（Ｃ）は図（Ａ）における底面図、図４は図１における排水管路面形成部材の詳細を示し、（Ａ）は平面図、（Ｂ）は一部を断面で示す正面、（Ｃ）は図（Ａ）における側面図である。
【００２１】
図１に示す排水管路用掃除口１は、排水用ヘッダーとしての管継手６の上部側に掃除口６１が設けられている例である。
図１で、排水管路用掃除口１は、側面に枝管流入口６２を有する管継手６の上部側に掃除口６１が開口され、この掃除口６１に蓋体４が取付けられている。掃除口６１の外周面には、掃除口６１と同芯状に掃除口６１より大きな内径を有する接続筒２が設けられ、この接続筒２に内嵌して受枠３が接着剤で接着して取付けられている。
そして、この受枠３に蓋体４が螺合して取付けられ、蓋体４の内部には掃除口６１に嵌入可能な外径を有する排水管路面形成部材５が回動可能に装着されている。蓋体４の外面には把持部４４が形成されている。
【００２２】
受枠３は、図２に示すように、内面に雌ねじ３１が形成され、上部には鍔３２を有し、この鍔３２を接続筒２の上端に当接して取り付けられている。雌ねじ３１は円周方向の３ヶ所で切り欠き３１ａが設けられた２条ねじとなされている。切り欠き３１ａを設けるのは、受枠３を合成樹脂の射出成形品で成形する場合、雌ねじ３１を成形するための金型構造を簡略化するためであり、二次加工により雌ねじを形成する場合等では連続した雌ねじであってもよいのは勿論である。また、この雌ねじ３１は３条ねじであってもよい。
【００２３】
この受枠３の鍔３２の上面には、対角線上の外周縁の２ヶ所に凹部３２ａが形成され、内周側には円周方向の溝３２ｂが設けられている。凹部３２ａは後述する蓋体４の鍔４２の下面に設けられている凸部４２ａと凹凸嵌合するものであり、溝３２ｂは環状のシールパッキング３３を装着するためのものである。
【００２４】
蓋体４は、受枠３内に螺合して取付けるもので、図３に示すように、外面に雄ねじ４１が形成され、外周に鍔４２を有し、外面には周方向に間隔４５をおいて円弧状の把持部４４が形成されている。
雄ねじ４１は受枠３の雌ねじ３１に螺合するものであり、図示の通り４ヶ所に切り欠き４１ａを有した２条ねじである。切り欠き４１ａを４ヶ所として受枠３の切り欠き３１ａの３ヶ所と異ならせた理由は、螺合して行くときに同時に切り欠き部で螺合されることがなく、円滑に螺合できるようにするためである。同じにすると蓋体４を受枠３に螺合しても抜ける可能性があるためである。
【００２５】
この蓋体４の鍔４２の下面外周縁には、対角線上の２ヶ所に、球殻状の凸部４２ａが形成されている。この凸部４２ａは、蓋体４２を受枠３に螺合して、螺合の終端位置で、受枠３の鍔３２の上面に形成された凹部３２ａに嵌合するものである。
受枠３の凹部３２ａと蓋体４の凸部４２ａとは、受枠３の雌ねじ３１に蓋体４の雄ねじ４１をきつく螺合した状態で、嵌合するような位置に形成されており、螺合の終端位置では凸部４２ａが変形して螺合され、凹部３２ａに嵌合して螺合が完了する。圧縮変形された凸部４２ａは凹部３２ａに嵌合すると復元して凹凸嵌合し、螺合状態が弛むことなく取付けられる。
【００２６】
蓋体４の外面に形成される把持部４４を円弧状としたのは、素手で把持し易く、蓋体４を回動させ易くしたものである。更に、円弧状把持部４４の両端部に外側に向けて突条４４ａを設けると一層把持し易くなる。
また、円弧状の把持部４４の間に間隔４５を設けたのは、この間隔４５にドライバー等の工具を挟んで回転させることができ、蓋体４の受枠３への取付け、取外しを容易に行うためである。
【００２７】
この蓋体４の内部には掃除口６１に嵌入可能な外径を有する排水管路面形成部材５が回動可能に装着されている。４３はこの排水管路面形成部材５を回動可能に装着するための係止突起であり、排水管路面形成部材５の上端部外周に設けられた環状突条を支持して回動可能とするため、少なくとも対角線上に２ヶ所設けられる。排水管路面形成部材５を装着可能であれば３ヶ所以上等間隔に設けられるのが好ましい。
【００２８】
次に、排水管路面形成部材５の例を図４により説明する。
排水管路面形成部材５は、掃除口６１に嵌入可能な外径を有し、掃除口６１の内面を管継手６の内面が滑らかに連続したものとするためのもので、管継手の内面は円筒状であるため、この排水管路面形成部材５は曲面を有している。従って、この排水管路面形成部材５の掃除口６１への取付けに当たっては、一定の方向を向けて取付けられることが必要となる。
【００２９】
図示の例では、排水管路面形成部材５の掃除口６１と嵌入する下端に鍔５１が形成され、この鍔の対角線上の２ヶ所に凹部５２が形成され、上端外周には蓋体４の内部に回動可能に装着するための環状突条５３が形成されている。２ヶ所の凹部５２は管継手６の管軸方向に一致する方向に設けられている。
一方、掃除口６１には、管継手６の管軸方向に一致する方向の２ヶ所に、凸部６１ａが形成され、排水管路面形成部材５の凹部５２が掃除口６１の凸部６１ａに凹凸嵌合するようになされており、この凹部と凸部により排水管路面形成部材５を所定の方向を向けて装着する位置合わせ手段となされている。
【００３０】
次に、このように構成された排水管路用掃除口１を開閉操作する操作方法について説明する。
排水管路の点検や清掃が必要となったとき、蓋体４を取り外す。この場合、素手で蓋体４の把持部４４を把持して蓋体４の螺合を解除できないときには、把持部４４の間隔４５にドライバーを差し込んで回動させればよい。
螺合を解除して蓋体４を取り外すと、排水管路面形成部材５も同時に取り外すことができ、掃除口６１が開口する。掃除口６１から内部を点検したり、掃除具を挿入して排水管路内を清掃できる。
【００３１】
蓋体４を螺合するときには、蓋体４の内部に装着されている排水管路面形成部材５の凹部５２を、掃除口６１の凸部６１ａに合わせて嵌入し、蓋体４を受枠３に螺合すればよい。蓋体４を螺合のために回動させても、排水管路面形成部材５は、その凹部５２が掃除口６１の凸部６１ａと凹凸嵌合して係止されているので、回動することなく、排水管路内面を滑らかに連続した状態で取り付けることができる。
蓋体４の螺合して行くと、螺合の終端位置近くで、蓋体４の鍔４２に形成された凸部４２ａが受枠３の鍔３２の上面に当接して螺合する力が急に増大する。この位置を過ぎると、凸部４２ａが受枠３の鍔３２の上面に形成された凹部３２ａに嵌合する。凸部４２ａは凹部３２ａに嵌合すると凸部４２ａは瞬間的に復元して螺合作業が止められるので、螺合する手の感覚で螺合の終端を判断できる。また、螺合状態が凹凸嵌合で固定されるので、きつい螺合状態を維持でき、蓋体４が弛むことがないため、排水管路からの排水や臭気の漏れだしがない。
【００３２】
上記の実施形態においては、受枠３の凹部３２ａおよび蓋体４の凸部４２ａは対角線上の２ヶ所に形成したものを示したが、本発明においては１ヶ所であっても、３ヶ所以上であってもよい。また、受枠３に凸部を形成し、蓋体４に凹部を形成してもよい。
【００３３】
また、位置合わせ手段は少なくとも一対の凹部と凸部が凹凸嵌合するものが形成されていればよいが、円周上に略均等に複数対の位置合わせ手段が設けられているものが好ましい。また、掃除口６１に凹部が設けられ、排水管路面形成部材５の鍔５１に凸部が設けられていてもよい。
【００３４】
また、上記実施形態は、排水用ヘッダーとしての管継手６の上部側に設けられた掃除口６１に適用した例であるが、本発明の排水管路用掃除口は、排水横枝管の端部に蓋体を取付けたものであってもよい。
この場合には、排水横枝管の端部に枠体３を取付け、この枠体３に蓋体４を螺合し、受枠３の外面とこの受枠３の外面に当接する蓋体４の内側面とに螺合終端位置で嵌合する凹凸が形成されているものであればよい。但し、排水横枝管の端部に蓋をする目的のため、蓋体４には排水管路面形成部材は不要で、蓋体の内面側は凹部となされていても中空となされていてもよい。
また、排水横枝管の端部は横方向を向いていてもよいが、端部を上方に向けて屈曲させ、上方から蓋体を取付けるようになされていてもよい。
【図面の簡単な説明】
【００３５】
【図１】本発明の排水管路用掃除口を排水用ヘッダーとしての管継手に適用した実施形態を示す縦断面図である。
【図２】図１における受枠の詳細を示し、（Ａ）は平面図、（Ｂ）は図（Ａ）のＢ−Ｂ線における断面図、（Ｃ）は図（Ａ）における側面図である。
【図３】図１における蓋体の詳細を示し、（Ａ）は平面図、（Ｂ）は一部を断面で示す正面図、（Ｃ）は図（Ａ）における底面図である。
【図４】図１における排水管路面形成部材の詳細を示し、（Ａ）は平面図、（Ｂ）は一部を断面で示す正面、（Ｃ）は図（Ａ）における側面図である。
【符号の説明】
【００３６】
１      排水管路用掃除口
２      接続筒
３      受枠
３１    雌ねじ
３２    鍔
３２ａ  凹部
３３    環状シールパッキング
４      蓋体
４１    雄ねじ
４２    鍔
４２ａ  凸部
４４    把持部
５      排水管路面形成部材
５１    鍔
５２    凹部
６      管継手
６１    掃除口
６１ａ  凸部
【図１】
2005076265.tif 000003
【図２】
2005076265.tif 000004
【図３】
2005076265.tif 000005
【図４】
2005076265.tif 000006